【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
アップリンクリソースのセットを使用して送信されるべきデータを識別することと、
前のスケジューリング要求（ＳＲ）が送信されてからの経過時間がしきい値を超えるかどうか決定することと、
前記経過時間が前記しきい値を超える場合、前記アップリンクリソースの競合ベースサブセットを使用して、前記データが送信されるべきであると決定することと、
前記アップリンクリソースの前記競合ベースサブセットを使用して、前記データを送信することと、
を備える、ワイヤレス通信のための方法。
【請求項２】
前記アップリンクリソースの前記競合ベースサブセットを使用して前記データが送信されるべきであると決定することに少なくとも部分的に基づいて、前記アップリンクリソースの前記競合ベースサブセットのうちの１つまたは複数のリソースを識別することと、
前記アップリンクリソースの前記競合ベースサブセットのうちの前記識別された１つまたは複数のリソースを使用して、前記データを自律的に送信することと、
をさらに備える、請求項１に記載の方法。
【請求項３】
前記アップリンクリソースの前記競合ベースサブセットに少なくとも部分的に基づいて、前記データを送信するための変調およびコーディング方式（ＭＣＳ）を決定すること
をさらに備える、請求項２に記載の方法。
【請求項４】
前記アップリンクリソースの前記競合ベースサブセットに少なくとも部分的に基づいて、前記データを送信するための利用可能な送信電力のセットから送信電力を決定すること
をさらに備える、請求項２に記載の方法。
【請求項５】
前記アップリンクリソースの前記競合ベースサブセットのうちの前記１つまたは複数のリソースを識別することが、
競合ベースアップリンク送信のための１つまたは複数のビンを識別することと、
前記データを送信するために前記１つまたは複数のビンのうちのビンを選択することと、
を備える、請求項２に記載の方法。
【請求項６】
前記１つまたは複数のビンのうちの前記ビンを選択することが、
複数の割り振られたビンから前記ビンをランダムに選択すること
を備える、請求項５に記載の方法。
【請求項７】
前記１つまたは複数のビンのうちの前記ビンを選択することが、
送信されるべき前記データの１つまたは複数の特性を識別することと、
前記１つまたは複数の特性に少なくとも部分的に基づいて、前記ビンを選択することと、
を備える、請求項５に記載の方法。
【請求項８】
前記１つまたは複数の特性が、送信されるべきデータの量、送信されるべき前記データに関連するトラフィックのタイプ、または送信されるべき前記データのソースのうちの少なくとも１つ、あるいはそれらの任意の組合せを備える、請求項７に記載の方法。
【請求項９】
前記１つまたは複数のビンを示すシグナリングを受信すること、ここにおいて、前記シグナリングが、ＲＲＣシグナリング、システム情報ブロック（ＳＩＢ）、または物理ダウンリンク制御チャネル（ＰＤＣＣＨ）シグナリングのうちの少なくとも１つ、あるいはそれらの任意の組合せを備える、
をさらに備える、請求項５に記載の方法。
【請求項１０】
無線ネットワーク一時識別子（ＲＮＴＩ）のセットを受信することと、
物理ダウンリンク制御チャネル（ＰＤＣＣＨ）を監視するために使用されるべきＲＮＴＩの前記セットからのＲＮＴＩを決定することと、
前記決定されたＲＮＴＩについて前記ＰＤＣＣＨを監視することと、
をさらに備え、
ここにおいて、前記監視することに少なくとも部分的に基づいて、前記アップリンクリソースの前記競合ベースサブセットのうちの前記１つまたは複数のリソースが識別される、
請求項２に記載の方法。
【請求項１１】
前記データが、データペイロード、前記データを送信するデバイスの識別情報、または送信されるべきであるデータの量を示すバッファステータス報告のうちの少なくとも１つ、あるいはそれらの任意の組合せを備える、請求項１に記載の方法。
【請求項１２】
前記アップリンクリソースの前記競合ベースサブセットを使用して前記データを送信したことに応答して、否定応答メッセージが受信される、または肯定応答メッセージが受信されないと決定することと、
前記否定応答メッセージが受信される、または確認応答メッセージが受信されないと決定することに少なくとも部分的に基づいて、前記データに関連するスケジューリング要求を送信することと、
をさらに備える、請求項１に記載の方法。
【請求項１３】
前記データが、送信されるべきデータの量を示すバッファステータス報告（ＢＳＲ）と、前記ＢＳＲを送信するデバイスの識別子とを備える、請求項１に記載の方法。
【請求項１４】
アップリンクリソースのセットを使用して送信されるべきデータを識別するための手段と、  前のスケジューリング要求（ＳＲ）が送信されてからの経過時間がしきい値を超えるかどうか、および前記経過時間が前記しきい値を超える場合、前記アップリンクリソースの競合ベースサブセットを使用して、前記データが送信されるべきであると決定するための手段と、
前記アップリンクリソースの前記競合ベースサブセットを使用して、前記データを送信するための手段と、
を備える、ワイヤレス通信のための装置。
【請求項１５】
ワイヤレス通信のためのコンピュータ実行可能コードを記憶する非一時的コンピュータ可読媒体であって、前記コードは、
実行されると、請求項１乃至１３のいずれか１項に従う方法を実行することを行うために実行可能な命令を備える、
非一時的コンピュータ可読媒体。
【手続補正２】
【補正対象書類名】明細書
【補正対象項目名】０１２７
【補正方法】変更
【補正の内容】
【０１２７】
[0142]本開示についての以上の説明は、当業者が本開示を作成または使用することができるように与えたものである。本開示への様々な修正は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に、本願出願の当初の特許請求の範囲に記載された発明を付記する。
［Ｃ１］
アップリンクリソースのセットを使用して送信されるべきデータを識別することと、
前記アップリンクリソースの競合ベースサブセットを使用してまたは前記アップリンクリソースの許可ベースサブセットを使用して、前記データが送信されるべきであると決定することと、
前記アップリンクリソースの前記競合ベースサブセットまたは前記アップリンクリソースの前記許可ベースサブセットを使用して、前記データを送信することと、
を備える、ワイヤレス通信のための方法。
［Ｃ２］
前記アップリンクリソースの前記許可ベースサブセットを使用して前記データが送信されるべきであると決定することに少なくとも部分的に基づいて、アップリンク制御チャネルを使用してスケジューリング要求（ＳＲ）を送信することと、
前記データを送信するために、前記アップリンクリソースの前記許可ベースサブセットを割り振るアップリンク許可を受信することと、
をさらに備える、［Ｃ１］に記載の方法。
［Ｃ３］
前記アップリンクリソースの前記競合ベースサブセットを使用して前記データが送信されるべきであると決定することに少なくとも部分的に基づいて、前記アップリンクリソースの前記競合ベースサブセットのうちの１つまたは複数のリソースを識別することと、
前記アップリンクリソースの前記競合ベースサブセットのうちの前記識別された１つまたは複数のリソースを使用して、前記データを自律的に送信することと、
をさらに備える、［Ｃ１］に記載の方法。
［Ｃ４］
前記アップリンクリソースの前記競合ベースサブセットに少なくとも部分的に基づいて、前記データを送信するための変調およびコーディング方式（ＭＣＳ）を決定すること
をさらに備える、［Ｃ３］に記載の方法。
［Ｃ５］
前記アップリンクリソースの前記競合ベースサブセットに少なくとも部分的に基づいて、前記データを送信するための利用可能な送信電力のセットから送信電力を決定すること
をさらに備える、［Ｃ３］に記載の方法。
［Ｃ６］
前記アップリンクリソースの前記競合ベースサブセットを使用して前記データが送信されるべきであると前記決定することは、
スケジューリング要求（ＳＲ）が送信されてからの経過時間がしきい値を超えると決定することと、
前記経過時間が前記しきい値を超えると決定することに少なくとも部分的に基づいて、前記アップリンクリソースの前記競合ベースサブセットを使用して前記データを送信することを決定することと、
を備える、［Ｃ３］に記載の方法。
［Ｃ７］
前記アップリンクリソースの前記競合ベースサブセットが、前記データに関連する同時スケジューリング要求（ＳＲ）をサポートすると決定することと、
前記アップリンクリソースの前記競合ベースサブセットを使用して、前記データと同時に前記ＳＲを送信することと、
をさらに備える、［Ｃ３］に記載の方法。
［Ｃ８］
前記アップリンクリソースの前記競合ベースサブセットのうちの前記１つまたは複数のリソースを識別することが、
競合ベースアップリンク送信のための１つまたは複数のビンを識別することと、
前記データを送信するために前記１つまたは複数のビンのうちのビンを選択することと、
を備える、［Ｃ３］に記載の方法。
［Ｃ９］
前記１つまたは複数のビンのうちの前記ビンを選択することが、
複数の割り振られたビンから前記ビンをランダムに選択すること
を備える、［Ｃ８］に記載の方法。
［Ｃ１０］
前記１つまたは複数のビンのうちの前記ビンを選択することが、
送信されるべき前記データの１つまたは複数の特性を識別することと、
前記１つまたは複数の特性に少なくとも部分的に基づいて、前記ビンを選択することと、
を備える、［Ｃ８］に記載の方法。
［Ｃ１１］
前記１つまたは複数の特性が、送信されるべきデータの量、送信されるべき前記データに関連するトラフィックのタイプ、または送信されるべき前記データのソースのうちの少なくとも１つ、あるいはそれらの任意の組合せを備える、［Ｃ１０］に記載の方法。
［Ｃ１２］
前記１つまたは複数のビンを示すシグナリングを受信すること、ここにおいて、前記シグナリングが、ＲＲＣシグナリング、システム情報ブロック（ＳＩＢ）、または物理ダウンリンク制御チャネル（ＰＤＣＣＨ）シグナリングのうちの少なくとも１つ、あるいはそれらの任意の組合せを備える、
をさらに備える、［Ｃ８］に記載の方法。
［Ｃ１３］
無線ネットワーク一時識別子（ＲＮＴＩ）のセットを受信することと、
物理ダウンリンク制御チャネル（ＰＤＣＣＨ）を監視するために使用されるべきＲＮＴＩの前記セットからのＲＮＴＩを決定することと、
前記決定されたＲＮＴＩについて前記ＰＤＣＣＨを監視することと、
をさらに備え、
ここにおいて、前記監視することに少なくとも部分的に基づいて、前記アップリンクリソースの前記競合ベースサブセットのうちの前記１つまたは複数のリソースが識別される、
［Ｃ３］に記載の方法。
［Ｃ１４］
前記データが、データペイロード、前記データを送信するデバイスの識別情報、または送信されるべきであるデータの量を示すバッファステータス報告のうちの少なくとも１つ、あるいはそれらの任意の組合せを備える、［Ｃ１］に記載の方法。
［Ｃ１５］
前記アップリンクリソースの前記競合ベースサブセットを使用して前記データを送信したことに応答して、否定応答メッセージが受信される、または肯定応答メッセージが受信されないと決定することと、
前記否定応答メッセージが受信される、または確認応答メッセージが受信されないと決定することに少なくとも部分的に基づいて、前記データに関連するスケジューリング要求を送信することと、
をさらに備える、［Ｃ１］に記載の方法。
［Ｃ１６］
前記データが、送信されるべきデータの量を示すバッファステータス報告（ＢＳＲ）と、前記ＢＳＲを送信するデバイスの識別子とを備える、［Ｃ１］に記載の方法。
［Ｃ１７］
前記アップリンクリソースの前記競合ベースサブセットを使用してバッファステータス報告（ＢＳＲ）が送信されるべきであると決定することと、
前記アップリンクリソースの前記競合ベースサブセットを使用して、前記ＢＳＲを自律的に送信することと、
をさらに備える、［Ｃ１］に記載の方法。
［Ｃ１８］
前記アップリンクリソースの前記競合ベースサブセット内の識別されたＢＳＲリソースを使用して前記ＢＳＲが送信される、［Ｃ１７］に記載の方法。
［Ｃ１９］
前記識別されたＢＳＲリソースが、前記アップリンクリソースの前記競合ベースサブセットのうちの１つのリソースブロック上の１つの符号分割多重化（ＣＤＭ）コードを備える、［Ｃ１８］に記載の方法。
［Ｃ２０］
前記アップリンクリソースの前記競合ベースサブセットを使用する前記データの送信の不成功に少なくとも部分的に基づいて、前記ＢＳＲ送信に応答するアップリンク許可を受信すること
をさらに備える、［Ｃ１７］に記載の方法。
［Ｃ２１］
送信されるべきデータが、前記アップリンクリソースの前記競合ベースサブセットを使用する送信に関するデータのしきい値量を超えるとき、前記ＢＳＲが送信される、［Ｃ１７］に記載の方法。
［Ｃ２２］
前記ＢＳＲの前記送信に応答する、前記アップリンクリソースの前記許可ベースサブセットのうちの１つまたは複数のリソースを割り振るアップリンク許可を受信すること
をさらに備える、［Ｃ１７］に記載の方法。
［Ｃ２３］
プロセッサと、
前記プロセッサと電子通信しているメモリと、
前記メモリに記憶された命令と、
を備え、前記命令は、
アップリンクリソースのセットを使用して送信されるべきデータを識別することと、
前記アップリンクリソースの競合ベースサブセットを使用してまたは前記アップリンクリソースの許可ベースサブセットを使用して、前記データが送信されるべきであると決定することと、
前記アップリンクリソースの前記競合ベースサブセットまたは前記アップリンクリソースの前記許可ベースサブセットを使用して、前記データを送信することと、
を行うために前記プロセッサによって実行可能である、
ワイヤレス通信のための装置。
［Ｃ２４］
アップリンクリソースのセットを使用して送信されるべきデータを識別するための手段と、
前記アップリンクリソースの競合ベースサブセットを使用してまたは前記アップリンクリソースの許可ベースサブセットを使用して、前記データが送信されるべきであると決定するための手段と、
前記アップリンクリソースの前記競合ベースサブセットまたは前記アップリンクリソースの前記許可ベースサブセットを使用して、前記データを送信するための手段と、
を備える、ワイヤレス通信のための装置。
［Ｃ２５］
アップリンク制御チャネルを使用してスケジューリング要求（ＳＲ）を送信するための手段、ここにおいて、前記ＳＲを送信するための前記手段が、アップリンクリソースの前記許可ベースサブセットを使用して前記データが受信されるべきであるという決定に少なくとも部分的に基づいて動作可能である、と、
前記データを送信するために、前記アップリンクリソースの前記許可ベースサブセットを割り振るアップリンク許可を受信するための手段と、
をさらに備える、［Ｃ２４］に記載の装置。
［Ｃ２６］
前記アップリンクリソースの前記競合ベースサブセットのうちの１つまたは複数のリソースを識別するための手段、ここにおいて、前記１つまたは複数のリソースを識別するための前記手段は、前記アップリンクリソースの前記競合ベースサブセットを使用して前記データが送信されるべきであるという決定に少なくとも部分的に基づいて動作可能である、と、
前記アップリンクリソースの前記競合ベースサブセットのうちの１つまたは複数の識別されたリソースを使用して、前記データを自律的に送信するための手段と、
をさらに備える、［Ｃ２４］に記載の装置。
［Ｃ２７］
スケジューリング要求（ＳＲ）が送信されてからの経過時間がしきい値を超えると決定するための手段と、
前記アップリンクリソースの前記競合ベースサブセットを使用して前記データを送信することを決定するための手段、ここにおいて、前記データを送信することを決定するための前記手段は、前記経過時間が前記しきい値を超えるという決定に少なくとも部分的に基づいて動作可能である、と、
をさらに備える、［Ｃ２６］に記載の装置。
［Ｃ２８］
前記アップリンクリソースの前記競合ベースサブセットが、同時スケジューリング要求（ＳＲ）をサポートすると決定するための手段と、
前記アップリンクリソースの前記競合ベースサブセットを使用して、前記データと同時に前記ＳＲを送信するための手段と、
をさらに備える、［Ｃ２６］に記載の装置。
［Ｃ２９］
前記アップリンクリソースの前記競合ベースサブセットを使用してバッファステータス報告（ＢＳＲ）が送信されるべきであると決定するための手段と、
前記アップリンクリソースの前記競合ベースサブセットを使用して、前記ＢＳＲを自律的に送信するための手段と、
をさらに備える、［Ｃ２６］に記載の装置。
［Ｃ３０］
ワイヤレス通信のためのコンピュータ実行可能コードを記憶する非一時的コンピュータ可読媒体であって、前記コードは、
アップリンクリソースのセットを使用して送信されるべきデータを識別することと、
前記アップリンクリソースの競合ベースサブセットを使用してまたは前記アップリンクリソースの許可ベースサブセットを使用して、前記データが送信されるべきであると決定することと、
前記アップリンクリソースの前記競合ベースサブセットまたは前記アップリンクリソースの前記許可ベースサブセットを使用して、前記データを送信することと、
を行うために実行可能な命令を備える、非一時的コンピュータ可読媒体。